(57)【要約】【課題】巻線型インダクタの両端のリード線を無くし、浮遊インダクタンスのばらつきを無くし、回路動作の安定した信頼性の高い、また製造が容易な巻線型インダクタを提供することを目的とする。さらには基端部の形状を工夫することにより、自動整列可能であってプリント基板に全自動実装が可能な巻線型インダクタを提供することを目的とする。【解決手段】巻線型インダクタは、径大な基端から径小な先端に向けて外径の縮径率が徐々に減少する先細り形状に形成したコアに導線を巻いて成る巻線型インダクタであって、前記コアに巻線することにより前記導線の巻線の径が一定ではなく前記先端に向けて徐々に径小となると共に、前記コアは前記基端部に外径が一定のストレート形状部を有し、上記ストレート形状部に延在する電極部及び上記先細り形状の先端部の両方を直接プリント基板の端子にハンダ付して面接合する。【選択図】図１
2009231518.tif 000002
【特許請求の範囲】
【請求項１】
径大な基端から径小な先端に向けて外径の縮径率が徐々に減少する先細り形状に形成したコアに導線を巻いて成る巻線型インダクタであって、
前記コアに巻線することにより前記導線の巻線の径が一定ではなく前記先端に向けて徐々に径小となると共に、前記コアは前記基端部に外径が一定のストレート形状部を有し、
上記ストレート形状部に延在する電極部及び上記先細り形状の先端部の両方を直接回路基板の端子にハンダ付して面接合することを特徴とする巻線型インダクタ。
【請求項２】
前記外径の縮径率が徐々に減少する先細り形状の横断面形状が任意の直線または曲線形状であり、前記回路基板に取り付けた時、前記先端部における前記直線方向がプリント基板の平面とのなす垂直方向の角度、あるいは前記曲線が前記ストレート形状部と当接する接点と前記先端部を結ぶ直線がプリント基板の平面となす垂直方向の角度が８°以上であることを特徴とする前記請求項１記載の巻線型インダクタ。
【請求項３】
前記外径の縮径率が徐々に減少する先細り形状の横断面形状が双曲形状であり、前記プリント基板に取り付けた時、前記先端部における前記双曲線が前記ストレート形状部と当接する接点と前記先端部を結ぶ直線がプリント基板の平面となす垂直方向の角度が８°以上であることを特徴とする前記請求項２記載の巻線型インダクタ。
【請求項４】
前記先端部が巻線又はハンダで覆われていて前記コアが露出していないことを特徴とする前記請求項１記載の巻線型インダクタ。
【請求項５】
前記外径が一定のストレート形状部及び前記ストレート形状部に延在する電極部が、前記先細り形状に形成したコアと一体に形成された磁性体又は誘電体であって、該電極部に導電膜を形成して回路基板への接続用電極としたことを特徴とする前記請求項１記載の巻線型インダクタ。
【請求項６】
前記ストレート形状部にも導線が巻線されていることを特徴とする前記請求項５記載の巻線型インダクタ。
【請求項７】
前記電極部の回路基板にハンダ付される底面が、前記先端部における前記直線方向がプリント基板の平面とのなす垂直方向の角度、あるいは前記曲線の前記ストレート形状部との接点と前記先端部を結ぶ直線が回路基板の平面とのなす垂直方向の角度に合わせて横断面が斜めに形成されており、前記回路基板にハンダ付される時上記底面が回路基板平面と平行となって回路基板に密着して面接合されることを特徴とする前記請求項１記載の巻線型インダクタ。
【請求項８】
前記径大方向の前記電極部の底面が部品供給時に部品供給装置において自動配列される非定形形状であることを特徴とする前記請求項１記載の巻線型インダクタ。
【請求項９】
前記径大方向の前記電極部の底面の非定形形状が３辺が直線で回路基板に立接された時の上方向の辺のみ円形や楕円形状であることを特徴とする前記請求項８記載の巻線型インダクタ。
【請求項１０】
前記巻線型インダクタを前記電極部の前記３方向の直線辺をチャックで挟み、回路基板に自動植設して接合することを特徴とする前記請求項９記載の巻線型インダクタ。
【請求項１１】
径大な基端から径小な先端に向けて外径の縮径率が徐々に減少する先細り形状に形成したコアに巻線することにより、前記導線の巻線の径が一定ではなく前記先端に向けて徐々に径小となると共に、前記コアは前記基端部に外径が一定のストレート形状部及び該ストレート形状部に延在する電極部を有した巻線型インダクタを用い、
上記ストレート形状部に延在する電極部及び上記先細り形状の先端部の両方を直接回路基板の端子にハンダ付して面接合することを特徴とする巻線型インダクタの実装方法。
【請求項１２】
前記径大方向の前記電極部の底面が非定形形状であって、部品供給時に部品供給装置において自動配列されると共に、前記径大方向の前記電極部の底面の非定形形状が３辺が直線で回路基板に立接された時の上方向の辺のみ円形や楕円形状の前記巻線型インダクタを用い、前記電極部の直線辺をチャックで挟み、回路基板に自動植設して接合することを特徴とする前記請求項１１記載の巻線型インダクタの実装方法。
【発明の詳細な説明】
【技術分野】
【０００１】
この発明は、広い周波数帯域において良好な通過損失特性を発揮する実用性に優れた巻線型インダクタに関するものである。
【背景技術】
【０００２】
従来から、特開２００４−６６９５号公報や特開２００７−１５０２４８号公報、特開２００８−１６４６２号公報に開示されているように、円錐状若しくは角錐状に形成したコアに導線を巻線して成る構成の巻線型インダクタが提案されている。
【０００３】
これは、上記のコアの外径が一定のタイプと異なり、図８に示したように、コアの外径が徐々に径小となり、このコアに巻線された導線の巻線径も徐々に径小となるために、一つの巻線型インダクタでありながら、単一でなく、異なる複数の共振周波数を有するものである。
【０００４】
従って、このコアの外径が変化するタイプの巻線型インダクタは、上記のコアの外径が一定のタイプと異なり、たった一つの巻線型インダクタで異なる複数の共振周波数を有し、たった一つの巻線型インダクタでありながら非常に広い周波数帯域で良好にインダクタとしての機能を発揮でき、広い周波数帯域で高い減衰量が得られるものである。
【０００５】
以下、特開２００７−１５０２４８号公報のものは、同公報に詳述されているが、要約すると次のとおりである。
上記タイプの巻線型インダクタは、コアに導線を巻線して成る巻線型インダクタであり、コアには、フェライトや誘電体で構成し、また、空芯コイルに樹脂と鉄粉との混合体を充填した構成のものなども用いられる。また、導線には銅線を採用する。
このコアの先細り状部は、この先細り状部の径大な基端側で急激に縮径し、径小な先端側では前記径大な基端側に比して緩やかに縮径する先細り形状で、この先細り状部の径大な先端から径小な基端に向けて前記コアの縮径率が漸減する断面が双曲形状に形成している。また、この先細り状部の縦方向断面形状は円形、又は多角形としている。
【０００６】
この先細り状部の形状は上記のものに限らず、この先細り状部の径大な基端と径小な先端とを結ぶ仮想の外形線よりも、実際の外径線が内方に凹没した形状であって、このコアの先細り状部を、この先細り状部の径大な基端側は傾斜角が大きく（縮径率が大きく）、径小な先端側では前記基端側よりも傾斜角の小さい（縮径率の小さい）異なる傾斜角を有する複数のテーパ面を有する傾斜面状に形成しても良い。即ち、縮径率が径大な基端側から径小な先端側に向けて連続的に徐々に小さくなる形状に限らず、縮径率が段階的に徐々に小さくなる形状、すなわち断面が折れ線形状でもよい。
【０００７】
前記コアは、外径が一定のストレート状部を有し、このストレート状部の端部から前記先細り状部によりこのコアの外径が縮径する形状に形成している。具体的には、このコアに形成した前記先細り状部の径大な基端から前記ストレート状部を有する形状である。尚、このストレート状部は底面形状を円形または正方形としている。
また、特開２００４−６６９５号公報のものは図１２，図１３に図示される。
【０００８】
上記図１２の巻線型インダクタは、銅線１２の表面にポリエステル、ポリウレタン等の高分子絶縁材料より成る絶縁被膜１４を形成した導線１６を、誘電体セラミックや、フェライト等の磁性材料より成る円錐状のコア１８の巻線部２０外周面に巻回して成る。また、導線１６の両端は、上記絶縁被膜１４を剥離して銅線１２を露出させることにより、端子部２２と成されている。なお、図１３は、図１２の側面図である。
【０００９】
しかし、上記従来の巻線型インダクタは、図３（a）に示されるように先端及び基端部にコイル３０の延長されたリード線３１，３２を有する構造であり、この巻線型インダクタが基板に実装される時、図３（ｂ）に示すようにリード線３４，３５がそれぞれ基板信号ライン３３とグランド３６の間に存在する構造となってしまう。
このように、部品と基板の回路間にリード線部分が存在すると、リード線の少しの歪みでも超高周波（特に、ＧＨｚ帯）ではインダクタンスが生じてしまうため回路特性が変動してしまうので、回路誤動作の原因となったりして取扱上の信頼性に欠ける欠点があった。
【特許文献１】特開２００４−６６９５号公報
【特許文献２】特開２００７−１５０２４８号公報
【特許文献３】特開２００８−１６４６２号公報
【発明の開示】
【発明が解決しようとする課題】
【００１０】
本発明が解決しようとする課題は、上記両端のリード線を無くし、該両端のリード線による浮遊インダクタンスのばらつきを無くすことにより、回路動作の安定した信頼性の高い、またこのことにより製造が容易な巻線型インダクタを提供することを目的とする。
また、さらには基端部の形状を工夫することにより、自動整列可能であってチャックが掴みやすい構造を採用しているので、プリント基板に全自動実装が可能な巻線型インダクタを提供することを目的とする。
【課題を解決するための手段】
【００１１】
この課題を解決するための手段として、この発明の請求項１記載の巻線型インダクタは、径大な基端から径小な先端に向けて外径の縮径率が徐々に減少する先細り形状に形成したコアに導線を巻いて成る巻線型インダクタであって、前記コアに巻線することにより前記導線の巻線の径が一定ではなく前記先端に向けて徐々に径小となると共に、前記コアは前記基端部に外径が一定のストレート形状部を有し、上記ストレート形状部に延在する電極部及び上記先細り形状の先端部の両方を直接回路基板の端子にハンダ付して面接合することを特徴とする。
【００１２】
さらに、この発明の請求項２記載の巻線型インダクタは、上記巻線型インダクタにおいて、前記外径の縮径率が徐々に減少する先細り形状の横断面形状が任意の直線または曲線形状であり、前記回路基板に取り付けた時、前記先端部における前記直線方向が回路基板の平面とのなす垂直方向の角度、あるいは前記曲線が前記ストレート形状部と当接する接点と前記先端部を結ぶ直線が回路基板の平面となす垂直方向の角度が８°以上であることを特徴とする。
【００１３】
また、この発明の請求項３記載の巻線型インダクタは、上記巻線型インダクタにおいて、前記外径の縮径率が徐々に減少する先細り形状の断面が双曲形状であり、前記回路基板に取り付けた時、前記先端部における前記双曲線が前記ストレート形状部と当接する接点と前記先端部を結ぶ直線が回路基板の平面となす垂直方向の角度が８°以上であることを特徴とする。
さらにまた、この発明の請求項４記載の巻線型インダクタは、上記巻線型インダクタにおいて、前記先端部が巻線又はハンダで覆われていて前記コアが露出していないことを特徴とする。
【００１４】
また、この発明の請求項５記載の巻線型インダクタは、上記巻線型インダクタにおいて、前記外径が一定のストレート形状部及び前記ストレート形状部に延在する電極部が、前記先細り形状に形成したコアと一体に形成された磁性体又は誘電体であって、該電極部に導電膜を形成して回路基板への接続用電極としたことを特徴とする。
さらにまた、この発明の請求項６記載の巻線型インダクタは、上記巻線型インダクタにおいて、前記ストレート形状部にも導線が巻線されていることを特徴とする。
【００１５】
この発明の請求項７記載の巻線型インダクタは、上記巻線型インダクタにおいて、前記電極部の回路基板にハンダ付される底面が、前記先端部における前記直線方向が回路基板の平面とのなす垂直方向の角度、あるいは前記曲線の前記ストレート形状部との接点と前記先端部を結ぶ直線が回路基板の平面とのなす垂直方向の角度に合わせて横断面が斜めに形成されており、前記回路基板にハンダ付される時上記底面が回路基板平面と平行となって回路基板に密着して面接合されることを特徴とする。
また、この発明の請求項８記載の巻線型インダクタは、上記巻線型インダクタにおいて、前記径大方向の前記電極部の底面が部品供給時に部品供給装置において自動配列される非定形形状であることを特徴とする。
【００１６】
また、この発明の請求項９記載の巻線型インダクタは、上記巻線型インダクタにおいて、前記径大方向の前記電極部の底面の非定形形状が３辺が直線で回路基板に立接された時の上方向の辺のみ円形や楕円形状であることを特徴とする。
またさらに、この発明の請求項１０記載の巻線型インダクタは、上記巻線型インダクタにおいて、前記巻線型インダクタを前記電極部の前記３方向の直線辺をチャックで挟み、回路基板に自動植設して接合することを特徴とする。
【００１７】
また、この発明の請求項１１記載の巻線型インダクタの実装方法は、径大な基端から径小な先端に向けて外径の縮径率が徐々に減少する先細り形状に形成したコアに巻線することにより、前記導線の巻線の径が一定ではなく前記先端に向けて徐々に径小となると共に、前記コアは前記基端部に外径が一定のストレート形状部及び該ストレート形状部に延在する電極部を有した巻線型インダクタを用い、上記ストレート形状部に延在する電極部及び上記先細り形状の先端部の両方を直接回路基板の端子にハンダ付して面接合することを特徴とする。
【００１８】
さらに、この発明の請求項１２記載の巻線型インダクタの実装方法は、前記径大方向の前記電極部の底面が非定形形状であって、部品供給時に部品供給装置において自動配列されると共に、前記径大方向の前記電極部の底面の非定形形状が３辺が直線で回路基板に立接された時の上方向の辺のみ円形や楕円形状の前記巻線型インダクタを用い、前記電極部の直線辺をチャックで挟み、回路基板に自動植設して接合することを特徴とする。
【発明の効果】
【００１９】
本発明は、リード線を無くし、リード線による浮遊インダクタンスのばらつきを無くすことにより、回路動作の安定した信頼性の高い、またこのことにより製造が容易な巻線型インダクタを提供することができる。
また、さらには基端側電極部の形状を工夫することにより、自動整列可能であってチャックが掴みやすい構造を採用しているので、回路基板に全自動実装が可能な巻線型インダクタを提供することができる。
【発明を実施するための最良の形態】
【００２０】
以下図面を参照しつつ本発明を詳細に説明する。
図１は、本発明の巻線型インダクタ１の構造を示す図である。図１において、上記巻線型インダクタ１は、径大な基端７から径小な先端８に向けて外径の縮径率が徐々に減少する先細り形状に形成したコア２に導線を巻いて成る巻線型インダクタであって、前記コア２に巻線することにより前記導線の巻線の径が一定ではなく前記先端８に向けて徐々に径小となると共に、前記コア２は外径が一定のストレート形状部９を有し、図２に示す如く、上記ストレート形状部９に延在する電極部６（図２の２１）及び上記先細り形状の先端部８（図２の２５）の両方を直接回路基板２３の端子にハンダ付して面接合する構造となっている。なお、基端側の巻き線の一端は、図１に示すように電極６の巻き線側１１を経由して、電極下端部中央の溝を介して電極裏面側に導出される。該巻き線の一端側端部は図２の２１に示されるように回路基板の端子にハンダ付けされる。
【００２１】
上記巻線型インダクタにおいて、前記外径の縮径率が徐々に減少する先細り形状の横断面形状が図１１に示すように任意の直線または曲線形状であり、前記回路基板に取り付けた時、前記直線形状の場合の先端部における前記直線方向が回路基板の平面とのなす垂直方向の角度、あるいは前記曲線形状の場合の前記曲線が前記ストレート形状部と当接する接点と前記先端部を結ぶ直線が回路基板の平面となす垂直方向の角度θが８°以上であることを特徴とする。
また、上記曲線形状の巻線型インダクタは、一例として前記外径の縮径率が徐々に減少する先細り形状の断面が双曲形状であり、前記プリント基板に取り付けた時、前記先端部における前記双曲形状が前記ストレート形状部と当接する接点と前記先端部を結ぶ直線が回路基板の平面となす垂直方向の角度θ（図２の２４）が８°以上である。
【００２２】
図５には、従来の巻線型インダクタと本発明の巻線型インダクタとを比較した周波数特性（通過損失）を示す。図５において、５１が図３に示す従来型の巻線型インダクタであり、５２が本発明の巻線型インダクタの特性を示す。なお、図５の巻線型インダクタの大きさは、大径０．８×小径０．１×長さ３ｍｍで巻き数は３８回である。また、図の右上５３に測定回路を示す。
明らかに、本発明の面接合型の巻線型インダクタの方が、通過損失が小さく、特に４０ＧＨｚ以上においてその差が顕著である。
【００２３】
図６に他の比較例を示す。図６の巻線型インダクタの大きさは、大径２×小径０．１×長さ５．４ｍｍで巻き数は７１回である。６１が従来型の巻線型インダクタであり、６２が本発明の巻線型インダクタの特性を示す。図５と同様に、本発明の面接合型の巻線型インダクタの方が、通過損失が小さく、特に２５ＧＨｚ以上においてその差が顕著である。同様に、図の右上に測定回路を示す。
【００２４】
図９及び図１０には、前記先端部における前記直線が前記ストレート形状部と当接する接点と前記先端部を結ぶ直線が回路基板の平面となす垂直方向の角度３８°の場合（本発明）、前記先端が基板から浮いている状態（コイル中心軸が水平）の場合、及び上記直線が０°、すなわち巻線型インダクタがぴったり回路基板に密着して実装された場合のそれぞれについて周波数特性を取った結果を示している。
測定は、図９の１０４の回路で行われ、本発明の巻線型インダクタ、及び他社製の類似巻線型インダクタで通過損失が測定された。
なお、図９において、１００が本発明の前記傾斜角が３８°の場合、１０１は上記密着型、１０２はコイル中心軸が水平型の場合のそれぞれの測定結果である。同様に、図１０において、他社製類似巻線型インダクタの、１１０が前記傾斜角が３８°の場合、１１１は密着型、１１２は水平型の場合のそれぞれの測定結果である。
【００２５】
図９，図１０から明らかなように、密着型の場合、２０〜２５ＧＨｚにおいて、損失量の大きな増大が見られる（図９の１０５，図１０の１１５）。また、水平型の場合も、４０ＧＨｚ近辺（図９の１０６，図１０の１１６）において、本発明品の傾斜角３８°（１００の曲線）の場合に比べ、１０２の損失特性の低下が著しい。
これは巻き線で発生する電磁界が回路基板上の金属等により影響を受け、電磁界が変形されるためと推測される。傾斜角が３８°の場合、最も磁性体または誘電体の存在する基端部方向が回路基板から離隔されて実装されるので、上記回路基板による電磁界の変化の影響が小さいものと考えられる。なお、水平型と３８°型の比較においても、径の大きい方の回路基板への距離の違いが前記特性の違いとなっているものと推測される。
【００２６】
図７は、本発明の巻線型インダクタについて、上記傾斜角を種々変化させた場合の周波数特性の測定結果である。
図７に置いて、７１は傾斜角０°、すなわち巻線型インダクタが回路基板に密着された状態、７２は上記傾斜角が１０°の場合、７３は上記傾斜角が８°の場合、７４は上記傾斜角が１６°の場合の測定結果を示す。
０°の場合、５〜１０ＧＨｚにおいて、明らかに他の測定結果より損失特性が悪い。しかし、８°以上では、あまり特性の違いが見られない。なお、上記傾斜角が大きくなると実装した時の巻線型インダクタの高さがその分高くなるので、あまり大きな傾斜角は実装上不利である。
上記図７の結果から、ほぼ８°以上の傾斜角で実装すれば、回路基板の影響なしに巻線型インダクタの特性が良好となることが確かめられた。
【００２７】
さらに、この発明の巻線型インダクタは、前記巻線型インダクタにおいて、前記先端部が巻線で覆われていて前記コアが露出しておらず、巻き線の先端はすべてハンダメッキで覆われている。
これは従来の如く、先端部にコイルが露出しているとその露出部分で寄生のインダクタンスが生じるので、先端部分にコイルが露出しないようにすべてハンダメッキで覆ったものである。先端部にコイルが露出していると特性がばらつくことは実験によっても確かめられた。
【００２８】
また、この発明の巻線型インダクタは、前記外径が一定のストレート形状部（図１の９）及び前記ストレート形状部に延在する電極部（図１の３）が、前記先細り形状に形成したコア（図１の２）と一体に形成された磁性体又は誘電体であって、該電極部（図１の３）は導電膜６を形成してプリント基板への接続用電極１０としたことを特徴とする。この発明の巻線型インダクタは、上記構成の巻線型インダクタにおいて、前記ストレート形状部９にも導線が巻線されている。該巻き線の先端は、前述の如く延在電極部３の巻き線側１１（図１）を経由して電極６と接続されており、前記先端構造と同様に巻き線は露出していない構造となっている。従って、この部分での寄生インダクタンスは発生しない。
従来の巻線型インダクタの場合、仮に面接合しようとしても、図４に示すように先端部４２のコイルの先端４４及び基端部４１にコイルの先端４３が存在し、これらのコイルの露出部分は浮遊インダクタンスの発生を招く。
しかし、前述の如く、本発明の場合、巻線型インダクタの先端部も基端部に延在する電極部にもコイルの先端が露出することはないので、面接合においても上記浮遊インダクタンスは発生せず、安定した回路動作となる。
【００２９】
この発明の巻線型インダクタは、前記巻線型インダクタにおいて、前記電極部の回路基板にハンダ付される底面１０が、図１に示す如く前記先端部８における前記直線方向が回路基板の平面とのなす垂直方向の角度、あるいは前記曲線の前記ストレート形状部との接点と前記先端部を結ぶ直線が回路基板の平面とのなす垂直方向の角度θに合わせて横断面が図１の１０示されるように斜めに形成されており、図２に示す如く該電極が回路基板にハンダ付される時該底面が回路基板平面２３と平行となって回路基板に密着して接続されることを特徴とする。該構成により、前記電極部は安定して回路基板に面接合することができる。
【００３０】
さらに、この発明の巻線型インダクタは、前記径大方向の電極部の底面が図１（ｂ）に示す如く、部品供給時に部品供給装置において自動配列される非定形形状である。また、該径大方向の前記電極部の底面の非定形形状が３辺が直線で回路基板に立設された時の上方向の辺のみ円形や楕円形状であるので、振動を与えながら周回して部品を供給する部品供給装置において前記巻線型インダクタの向きを一定に自動配列することができ、またさらに、該巻線型インダクタを前記電極部の前記２方向の直線辺（図１（ｂ）の左右の辺）をチャックで挟み、回路基板に自動植設して接合することができる特徴を有する。
一方、従来型の巻線型インダクタは、図８,図１３に示される如く、コアの底面形状が正方形または円形である。従って、形状の向きに特徴がないので、自動整列が不可能である。自動整列ができないと全自動実装もできないことになるので生産効率が悪い。
なお、上記巻線型インダクタは、前記電極部の底面の非定形形状が図１（ｂ）に示される如く３辺が直線で１方向の辺のみ円形や楕円形状であるが、自動配列できる形状であればその他の形状でもよい。
【産業上の利用可能性】
【００３１】
最近の携帯電話やパソコン等の電子装置は、高密度化、高周波化、小型化の傾向にあり、このため巻線型インダクタも小型化すると共に高周波領域、特にＧＨz帯での動作の安定性、製造し易さが求められている。
本発明の巻線型インダクタは、面接合のため不要な浮遊インダクタンスが生じないので高周波数特性がよいと共に、全自動整列が可能で自動植設ができるので製造容易であり、その分製造コストも低減できる。
従って、産業上の利用性がきわめて高い。
【図面の簡単な説明】
【００３２】
【図１】本発明の巻線型インダクタ１の構造を示す図である。
【図２】本発明の巻線型インダクタ１の実装状態を示す図である。
【図３】従来の巻線型インダクタの構造及び実装状態を示す図である。
【図４】従来の巻線型インダクタの実装状態を示す他の実装例を示す図である。
【図５】従来の巻線型インダクタと本発明の巻線型インダクタとを比較した周波数特性を示す図である。
【図６】従来の巻線型インダクタと本発明の巻線型インダクタとを比較した他の周波数特性を示す図である。
【図７】本発明の巻線型インダクタについて、先端部における断面の直線又は曲線がストレート形状部と当接する接点と先端部を結ぶ直線が回路基板の平面となす垂直方向の角度（傾斜角θ）を種々変化させた場合の特性の測定結果を示す図である。
【図８】従来型の巻線型インダクタの一例を示す図である。
【図９】巻線型インダクタについて、先端部における直線または曲線が前記ストレート形状部と当接する接点と前記先端部を結ぶ直線が回路基板の平面となす垂直方向の角度（傾斜角θ）が３８°の場合（本発明）、先端が水平になっていて、回路基板から浮いている状態（巻き線の中心軸が水平型）の場合、及び上記直線が０°、すなわち巻線型インダクタがぴったり回路基板に密着して実装された場合のそれぞれについて周波数を取った結果を示す図である。
【図１０】図９と同様の特性を他の巻線型インダクタについて測定した結果を示す図である。
【図１１】本発明の巻線型インダクタの種々の断面構造を示す図である。
【図１２】従来の他の巻線型インダクタの構造を示す図である。
【図１３】図１２の巻線型インダクタの側面図である。
【符号の説明】
【００３３】
１      巻線型インダクタ
２      コア
３      延在部分
６      電極
８      先端部分
９      ストレート状部
１０      電極底面部
２１      電極接合部
２５      先端接合部
【図１】
2009231518.tif 000003
【図２】
2009231518.tif 000004
【図３】
2009231518.tif 000005
【図４】
2009231518.tif 000006
【図５】
2009231518.tif 000007
【図６】
2009231518.tif 000008
【図７】
2009231518.tif 000009
【図８】
2009231518.tif 000010
【図９】
2009231518.tif 000011
【図１０】
2009231518.tif 000012
【図１１】
2009231518.tif 000013
【図１２】
2009231518.tif 000014
【図１３】
2009231518.tif 000015